(57)【要約】      （修正有）【課題】安価，容易に製造できるとともに、安全に使用できるピアスホール用清掃具を提供する。【解決手段】合成繊維と綿繊維または綿繊維に類する植物繊維，動物繊維とが混合されて細長形の棒状体に形成されたピアスホール用清掃具は、加熱処理で溶融した合成繊維と綿繊維または綿繊維に類する植物繊維，動物繊維との融着状態により、ピアスホールへの挿通の案内部分である一端部側１が相対的に小径で硬質の均等質構造とされ、清掃部分である他端部側２が相対的に大径で軟質の多孔質構造とされてなる。【選択図】図１
2008178642.tif 000002
【特許請求の範囲】
【請求項１】
合成繊維と綿繊維または綿繊維に類する植物繊維，動物繊維とが混合されて細長形の棒状体に形成され、加熱処理で溶融した合成繊維と綿繊維または綿繊維に類する植物繊維，動物繊維との融着状態により一端部側が相対的に小径で硬質の均等質構造とされ他端部側が相対的に大径で軟質の多孔質構造とされてなるピアスホール用清掃具。
【請求項２】
融点の異なる少なくとも２種類の合成繊維と綿繊維または綿繊維に類する植物繊維，動物繊維とを混合させて細長形の棒状体からなる材料を形成し、材料の一端部側を全種類の合成繊維が溶融する温度で加熱し、材料の他端部側を少なくとも１種類の合成繊維が溶融する温度で加熱し、材料の一端部側で合成繊維と綿繊維または綿繊維に類する植物繊維，動物繊維とを完全に融着させ、材料の他端部側で合成繊維と綿繊維または綿繊維に類する植物繊維，動物繊維とを不完全に融着させるピアスホール用清掃具の製造方法。
【発明の詳細な説明】
【技術分野】
【０００１】  本発明は、ピアスホール（身体に直接的に装身されるピアスを挿通するために耳たぶ等に穿たれた孔）を清掃するためのピアスホール用清掃具に係る技術分野に属する。
【背景技術】
【０００２】  ピアスホールについては、穿孔状態と衛生状態とを維持するために定期的な清掃が必要とされる。このため、ピアスホールの清掃を簡便に行えるようにした各種のピアスホール用清掃具が提供されてきている。【０００３】  従来、ピアスホール用清掃具としては、例えば、以下に記載のものが知られている。
【特許文献１】  特開平８−２０６０３１号公報  特許文献１には、細長形の棒状体に形成され、一端部側がそのままとされ、他端部側に繊維，フェルト，スポンジ等が接着剤で固定されたピアスホール用清掃具が記載されている。【０００４】  特許文献１に係るピアスホール用清掃具は、一端部側を相対的に小径のピアスホールへの挿通の案内部分とし、他端部側を消毒薬を含浸させる清掃部分として、一端部側から他端部側までピアスホールに挿通し、他端部側をピアスホールで反復スライドさせて物理的に異物を除去したり化学的に消毒したりする清掃を行うものである。
【発明の開示】
【発明が解決しようとする課題】
【０００５】  特許文献１に係るピアスホール用清掃具では、細長形に形成された棒状体に対して部分的に接着剤を塗布して繊維等を接着させて固定する製造工作が必要とされるため、製造が面倒で製造コストが高くなるという問題点がある。また、棒状体に繊維等を固定するために接着剤が使用されているため、消毒薬の種類によっては接着剤が溶出して身体に悪影響を及ぼすおそれがあるという問題点がある。【０００６】  本発明は、このような問題点を考慮してなされたもので、安価，容易に製造することができて安全に使用することのできるピアスホール用清掃具と、このピアス用清掃具を製造するに好適なピアスホール用清掃具の製造方法とを提供することを課題とする。
【課題を解決するための手段】
【０００７】  前述の課題を解決するため、本発明に係るピアスホール用清掃具は、特許請求の範囲の請求項１に記載の手段を採用する。【０００８】  即ち、合成繊維と綿繊維または綿繊維に類する植物繊維，動物繊維とが混合されて細長形の棒状体に形成され、加熱処理で溶融した合成繊維と綿繊維または綿繊維に類する植物繊維，動物繊維との融着状態により一端部側が相対的に小径で硬質の均等質構造とされ他端部側が相対的に大径で軟質の多孔質構造とされてなる。【０００９】  この手段では、棒状体を加熱処理することで、溶融した合成繊維と綿繊維または綿繊維に類する植物繊維，動物繊維との融着状態により、一端部側を相対的に小径のピアスホールへの挿通の案内部分とし他端部側を消毒薬を含浸させる清掃部分とすることができ、棒状体に別部材を取付ける製造工作が不要となる。また、製造工作で加熱処理を用いて接着剤を不要にすることで、使用の際に消毒薬によっては接着剤が溶出して身体に悪影響を及ぼすことがなくなる。【００１０】  また、前述の課題を解決するため、本発明に係るピアスホール用清掃具の製造方法は、特許請求の範囲の請求項２に記載の手段を採用する。【００１１】  即ち、融点の異なる少なくとも２種類の合成繊維と綿繊維または綿繊維に類する植物繊維，動物繊維とを混合させて細長形の棒状体からなる材料を形成し、材料の一端部側を全種類の合成繊維が溶融する温度で加熱し、材料の他端部側を少なくとも１種類の合成繊維が溶融する温度で加熱し、材料の一端部側で合成繊維と綿繊維または綿繊維に類する植物繊維，動物繊維とを完全に融着させ、材料の他端部側で合成繊維と綿繊維または綿繊維に類する植物繊維，動物繊維とを不完全に融着させる。【００１２】  この手段では、棒状体からなる材料の一端部側の加熱温度と他端部側の加熱温度とを異ならせることで、溶融した合成繊維と綿繊維または綿繊維に類する植物繊維，動物繊維との融着状態により、一端部側を相対的に小径のピアスホールへの挿通の案内部分とし他端部側を消毒薬を含浸させる清掃部分とすることができる。
【発明の効果】
【００１３】  本発明に係るピアスホール用清掃具は、棒状体を加熱処理することで、溶融した合成繊維と綿繊維または綿繊維に類する植物繊維，動物繊維との融着状態により、一端部側を相対的に小径のピアスホールへの挿通の案内部分とし他端部側を消毒薬を含浸させる清掃部分とすることができ、棒状体に別部材を取付ける製造工作が不要となるため、安価，容易に製造することができる効果がある。また、製造工作で加熱処理を用いて接着剤を不要にすることで、使用の際に消毒薬によっては接着剤が溶出して身体に悪影響を及ぼすことがなくなるため、安全に使用することができる効果がある。【００１４】  本発明に係るピアスホール用清掃具の製造方法は、棒状体からなる材料の一端部側の加熱温度と他端部側の加熱温度とを異ならせることで、溶融した合成繊維と綿繊維または綿繊維に類する植物繊維，動物繊維との融着状態により、一端部側を相対的に小径のピアスホールへの挿通の案内部分とし他端部側を消毒薬を含浸させる清掃部分とすることができるため、前述の本発明に係るピアスホール用清掃具の効果を損なうことなく、加熱温度の調整という簡単な技術で製造することができる効果がある。
【発明を実施するための最良の形態】
【００１５】  以下、本発明に係るピアスホール用清掃具およびその製造方法を実施するための最良の形態を図面に基づいて説明する。【００１６】  この形態では、耳たぶに穿たれたピアスホールの製造に好適なものを示してある。【００１７】  この形態は、図１に示すように、全体形状が細長形（直径１ｍｍ程度）の棒状体に形成されている。一端部側１は、相対的に小径で長さａが３〜５ｃｍ程度とされている。他端部側２は、相対的に大径で長さｂが５〜１５ｃｍとされている。一端部側１から他端部側２へは、大きな段差が形成されることなくスムースに連続している。【００１８】  この棒状体は、融点の異なる少なくとも２種類の合成繊維と綿繊維または綿繊維に類する植物繊維，動物繊維とを混合させた材料Ｐから製造される。さらに具体的には、低融点のポリエステル繊維２０〜４０重量％を鞘とし、高融点のポリエステル繊維２０〜４０重量％と綿繊維または綿繊維に類する植物繊維，動物繊維２０〜４０重量％とを芯として、束状に混合させた材料Ｐから製造される。この束状への混合については、絡げ，撚り等を加えることも可能である。【００１９】  材料Ｐは、図２〜図４に示すように、長尺に形成されて引出ローラＲで加熱炉Ｈに間欠送りされ、加熱炉Ｈの内部で加熱処理され、加熱炉Ｈを通過した後にカッタＣで切断される。【００２０】  加熱炉Ｈは、材料Ｐの通過方向の下手側から第１炉Ｈａ，第２炉Ｈｂが配置されている。第１炉Ｈａ，第２炉Ｈｂは、電熱ヒータ，熱風発生器等の加熱体Ｈａａ，Ｈｂａの周囲を断熱材Ｈａｂ，Ｈｂｂで覆ってなるものである。第１炉Ｈａは、加熱体Ｈａａが前述の一端部側１の長さａに相当する軸長を有して材料Ｐに近接（孔径１ｍｍ程度）するように配置されて、材料Ｐを高い温度で加熱するものである。第２炉Ｈｂは、加熱体Ｈｂａが前述の他端部側２の長さｂに相当する軸長を有して材料Ｐから離間（孔径２０ｍｍ程度）するように配置されて、材料Ｐを低い温度で加熱するものである。【００２１】  材料Ｐは、前述の一端部側１の長さａと他端部側２の長さｂとの合計である長さｃ（図３（Ｂ）参照）を送り長として、引出ローラＲの回転駆動で加熱炉Ｈの内部に送込まれる。そして、引出ローラＲの回転駆動の停止により材料Ｐが加熱炉Ｈの内部に停止され、材料Ｐが第１炉Ｈａの加熱体Ｈａａと第２炉Ｈｂの加熱体Ｈｂａとでそれぞれ異なる温度で一定の時間をかけて加熱される。【００２２】  材料Ｐの加熱温度，加熱時間（材料Ｐの停止時間）については、一端部側１となる部分では低融点のポリエステル繊維と高融点のポリエステル繊維と綿繊維または綿繊維に類する植物繊維，動物繊維とが完全に融着する状態となり、他端部側２となる部分では低融点のポリエステル繊維と綿繊維または綿繊維に類する植物繊維，動物繊維とが不完全に融着して高融点のポリエステル繊維が溶融しない状態となるように設定される。【００２３】  加熱処理された材料Ｐは、引出ローラＲの再度の回転駆動で前述の長さｃ送り長で加熱炉Ｈの外部へ送出される。なお、他端部側２となる部分が第１炉Ｈａの加熱体Ｈａａを通過する際に、加熱体Ｈａａを停止させて必要以上に加熱するのを避けることもできる。【００２４】  加熱炉Ｈの外部へ送出され���材料Ｐは、引出ローラＲを通過した位置でカッタＣで切断される。切断された長さは、送り長である長さｃ（長さａ＋長さｂ）である。【００２５】  加熱炉Ｈで加熱処理された材料Ｐは、一端部側１となる部分では相対的に小径で硬質の均等質構造とされ、他端部側２となる部分では相対的に大径で軟質の多孔質構造とされている。従って、一端部側１については、相対的に小径のピアスホールへの挿通の案内部分とすることができる。他端部側２については、消毒薬を含浸させる清掃部分とすることができる。【００２６】  この形態によると、特許文献１に係るピアスホール用清掃具のように細長形に形成された棒状体に対して部分的に接着剤を塗布して繊維等を接着させて固定する製造工作が不要で、材料Ｐを間欠送りして一端部側１，他端部側２で異なる温度で加熱処理するだけであるため、安価，容易に製造することができる。特に、加熱温度の調整という簡単な技術で製造することができるため、製造装置等が複雑化することはない。【００２７】  さらに、この形態を使用しても、接着剤を使用していないため、特許文献１に係るピアスホール用清掃具のように接着剤が消毒薬で溶出されることはない。従って、安全に使用することができる。【００２８】  以上、図示した形態の外に、ポリエステル繊維以外の合成繊維を使用することも可能である。【００２９】  さらに、ポリエステル繊維を含めて複数種類の合成繊維を使用することも可能である。【００３０】  さらに、綿繊維または綿繊維に類する植物繊維，動物繊維についても、複数種類を使用することも可能である。
【産業上の利用可能性】
【００３１】  本発明に係るピアスホール用清掃具およびその製造方法は、ピアスホールの清掃以外に精密部品の清掃等にも使用が可能である。
【図面の簡単な説明】
【００３２】
【図１】  本発明に係るピアスホール用清掃具を実施するための最良の形態の斜視図である。
【図２】  本発明に係るピアスホール用清掃具の製造方法に使用される製造装置の斜視図である。
【図３】  図２の要部の拡大図であり、（Ａ），（Ｂ）の順に製造工程が示されている。
【図４】  図２の製造装置の工作手順のフローチャートである。
【符号の説明】
【００３３】  １            一端部側
２            他端部側
Ｃ            カッタ
Ｈ            加熱炉
Ｐ            材料
Ｒ            引出ローラ
【図１】
2008178642.tif 000003
【図２】
2008178642.tif 000004
【図３】
2008178642.tif 000005
【図４】
2008178642.tif 000006